(57)【要約】【課題】ブラケットの締め付け力を本体部の外縁に均一に伝えることが可能な接続端子を提供する。【解決手段】バッテリーターミナル１は、バッテリーポストを通す挿入穴２１と、ケーブル端末に取り付けられたＬＡ端子と接続する端子固定ボルト２９とを有した本体部２と、本体部２の外縁２０ｃと挿入穴２１とに亘って本体部２を切り欠いた切り欠き部２２と、一対のブラケット４ａ，４ｂと、ボルト５及びナット６と、を備えている。ブラケット４ａ，４ｂは、本体部２と間隔をあけて相対するとともに互いに重なることが可能な重なり部４１ａ，４１ｂと、重なり部４１ａ，４１ｂから離れるにしたがって互いに離れる方向に傾斜した傾斜部４２ａ，４２ｂと、を有している。この一対のブラケット４ａ，４ｂは、重なり部４１ａ，４１ｂにそれぞれ設けられたボルト挿通穴を通されたボルト５を中心として回動自在に設けられている。【選択図】図１
2008097903.tif 000002
【特許請求の範囲】
【請求項１】
第１の外部端子を通す挿入穴と第２の外部端子と接続する接続部とを有した本体部と、前記本体部の外縁と前記挿入穴とに亘って前記本体部を切り欠いた切り欠き部と、前記切り欠き部の幅を縮めることにより前記挿入穴の内面と前記第１の外部端子とを密着させる縮小手段と、を備えた接続端子において、
前記縮小手段が、
前記本体部と間隔をあけて相対する位置に配置されるとともに互いに重ねられる重なり部と、これらの重なり部同士が重ねられた状態で該重なり部から離れるにしたがって互いに離れる方向に傾斜するとともに前記本体部の互いの間に前記切り欠き部を位置付ける他の外縁に摺接可能な傾斜部と、をそれぞれ有した一対のブラケットと、
前記一対のブラケットの重なり部を前記本体部に対して接離させる接離手段と、
前記一対のブラケットの重なり部同士を前記重なり部が前記本体部に対して接離する方向と平行な軸心回りに回動自在に連結する連結手段と、を備えたことを特徴とする接続端子。
【請求項２】
前記接離手段が、前記一対のブラケット各々を前記本体部に対して相対的に回動自在に支持する前記連結手段としてのボルトと、該ボルトと螺合するにしたがって前記重なり部を前記本体部に近づけるナットと、前記一対のブラケット各々に設けられたボルト挿通穴と、により構成され、かつ、
前記ボルト挿通穴が前記重なり部の互いに重なることが可能な位置に設けられたことを特徴とする請求項１に記載の接続端子。
【発明の詳細な説明】
【技術分野】
【０００１】
本発明は、第１の外部端子と第２の外部端子とを相互接続する接続端子に関し、特に、バッテリーに設けられたバッテリーポストとヒュージブルリンクやスタータ等に接続されたケーブル端末に取り付けられた端子とを接続するバッテリーターミナルに関する。
【背景技術】
【０００２】
図９ないし図１３に示された接続端子としてのバッテリーターミナル（特許文献１を参照。）１０１は、本願出願人が提供の検討をしたバッテリーターミナル１０１である。このバッテリーターミナル１０１は、自動車に搭載されるバッテリーにヒュージブルリンクやスタータなどと接続したケーブル端末に取り付けられたＬＡ端子を接続するためのものである。
【０００３】
上記バッテリーターミナル１０１は、図９及び図１０に示すように、バッテリーに設けられた図示しない円柱状のバッテリーポストを挿入するためのバッテリーポスト挿入穴１２３を有するバッテリーターミナル本体部（以下、本体部と呼ぶ）１２４と、バッテリーポスト挿入穴１２３の径を縮径させるための締め付け手段１２５とを備えて構成されている。
【０００４】
上記本体部１２４は、導電性の板金が折り曲げられるなどして板状に形成されている。そして、この本体部１２４の中央部に前記板金を打ち抜くなどして形成された略円形のバッテリーポスト挿入穴１２３が設けられている。また、本体部１２４は、その長手方向の一端部に位置する外縁１３０とバッテリーポスト挿入穴１２３とに亘って本体部１２４を切り欠いた切り欠き部１３１と、その長手方向の他端部に設けられた端子固定ボルト１３３と、を有している。この端子固定ボルト１３３には、上述したケーブル端末のＬＡ端子が接続されるようになっている。
【０００５】
上記締め付け手段１２５は、切り欠き部１３１を挟んだ本体部１２４の両側の外縁１２２を挟持することにより切り欠き部１３１の幅を縮めてバッテリーポスト挿入穴１２３を縮径させるためのものであって、ブラケット１３４とボルト１３５とナット１３６とを備えて構成されている。
【０００６】
上記ブラケット１３４は、本体部１２４の図９中上側に位置する上面と相対して配されかつ帯状に形成されたブラケット本体１３７と、このブラケット本体１３７の両端部から立設するとともにブラケット本体１３７から離れるにしたがって互いに離れる方向に傾斜した一対の傾斜部１３８と、を有している。また、傾斜部１３８は、切り欠き部１３１を挟んだ本体部１２４の両側の外縁１２２の外側に位置付けられるとともに、この外縁１２２と摺接可能に形成されている。また、ブラケット本体１３７の中央部には、ボルト１３５を挿通可能なボルト挿通穴１３９が貫通形成されている。
【０００７】
さらに、本体部１２４には、切り欠き部１３１を挟んだ本体部１２４の両側に跨って形成された第２のボルト挿通穴１３２が設けられている。上記ボルト１３５は、本体部１２４の図９中下側に位置する下面側から前記上面側に向かって第２のボルト挿通穴１３２を通されかつブラケット１３４のボルト挿通穴１３９を通されて本体部１２４の上面で上記ナット１３６と螺合される。
【０００８】
このような構成のバッテリーターミナル１０１は、ナット１３６が締め付けられると、ボルト１３５及びナット１３６の螺合状態が進行する。そして、ボルト１３５及びナット１３６の羅合にしたがってブラケット本体１３７が本体部１２４の上面に近づくことにより、傾斜部１３８の内面が切り欠き部１３１を挟んだ本体部１２４の両側の外縁１２２上を摺接し、これら外縁１２２を互いに近づく方向に締め付けて切り欠き部１３１の幅を縮める。そして、切り欠き部１３１の幅が縮められることによりバッテリーポスト挿入穴１２３が縮径され、バッテリーポスト挿入穴１２３の内面と前記バッテリーポストの外周面とが密着する。
【特許文献１】特開２００４−１８６０９３号公報
【発明の開示】
【発明が解決しようとする課題】
【０００９】
しかしながら、図９及び図１０に示されたバッテリーターミナル１０１は、ボルト１３５及びナット１３６の螺合状態が進行し、ブラケット本体１３７が本体部１２４の上面に近づくにしたがって、図１１及び図１２に示すように、本体部１２４の前記一端部側の外縁１２２と傾斜部１３８の内面との間に隙間が生じ、ボルト１３５及びナット１３６の螺合が完了した状態では、図１１及び図１３に示すように、本体部１２４の前記他端部側の外縁１２２の一点のみにブラケット１３４の締め付け荷重が集中してしまっていた。このようにブラケット１３４の締め付け荷重が一点に集中すると本体部１２４及びブラケット１３４が変形する可能性があり、このために、ナット１３６を締め付ける作業が困難になったり、ブラケット１３４の締め付け力が緩んでしまうなどの問題があった。
【００１０】
本発明は、かかる問題を解決することを目的としている。即ち、本発明は、ブラケットの傾斜部を本体部の外縁に面接触させることによりブラケットの締め付け力を本体部の外縁に均一に伝えることが可能な接続端子を提供することを目的としている。
【課題を解決するための手段】
【００１１】
上述した目的を達成するために、請求項１に記載された発明は、第１の外部端子を通す挿入穴と第２の外部端子と接続する接続部とを有した本体部と、前記本体部の外縁と前記挿入穴とに亘って前記本体部を切り欠いた切り欠き部と、前記切り欠き部の幅を縮めることにより前記挿入穴の内面と前記第１の外部端子とを密着させる縮小手段と、を備えた接続端子において、前記縮小手段が、前記本体部と間隔をあけて相対する位置に配置されるとともに互いに重ねられる重なり部と、これらの重なり部同士が重ねられた状態で該重なり部から離れるにしたがって互いに離れる方向に傾斜するとともに前記本体部の互いの間に前記切り欠き部を位置付ける他の外縁に摺接可能な傾斜部と、をそれぞれ有した一対のブラケットと、前記一対のブラケットの重なり部を前記本体部に対して接離させる接離手段と、前記一対のブラケットの重なり部同士を前記重なり部が前記本体部に対して接離する方向と平行な軸心回りに回動自在に連結する連結手段と、を備えたことを特徴とする接続端子。
【００１２】
請求項２に記載された発明は、請求項１に記載された発明において、前記接離手段が、前記一対のブラケット各々を前記本体部に対して相対的に回動自在に支持する前記連結手段としてのボルトと、該ボルトと螺合するにしたがって前記重なり部を前記本体部に近づけるナットと、前記一対のブラケット各々に設けられたボルト挿通穴と、により構成され、かつ、前記ボルト挿通穴が前記重なり部の互いに重なることが可能な位置に設けられたことを特徴とするものである。
【発明の効果】
【００１３】
請求項１に記載された発明によれば、重なり部同士を回動自在に連結する連結手段により、重なり部が本体部に近づくにしたがって傾斜部の内面に押圧された本体部が挿入穴の縮径方向に変位するのに追従して重なり部及び傾斜部が回動するので、傾斜部の内面を本体部の外縁に面接触させることができ、ブラケットの締め付け力を本体部の外縁に均一に伝えることができる接続端子を提供できる。
【００１４】
請求項２に記載された発明によれば、ボルト挿通穴がそれぞれの重なり部の互いに重なることが可能な位置に設けられているので、一組のボルト及びナットにより一対のブラケットの重なり部同士を本体部に対して接離させることができる。また、このボルト挿通穴が重なり部、即ち一対のブラケットの回動中心、に配されることにより前記ボルト及びナットにより一対のブラケットの重なり部同士を前記ボルトを中心に回動自在に連結することができる。このように一組のボルト及びナットとボルト挿通穴により接離手段と連結手段を兼ねることができるので、ブラケットの締め付け力を本体部の外縁に均一に伝えることができるとともに構成が簡素で部品点数を少なくすることができる接続端子を提供できる。
【発明を実施するための最良の形態】
【００１５】
以下、本発明の一実施形態に係る接続端子としてのバッテリーターミナル１を図１ないし図８を参照して説明する。本実施形態におけるバッテリーターミナル１は、自動車などの移動体に搭載されるバッテリーに、ヒュージブルリンクやスタータなどと接続したケーブル端末に取り付けられたＬＡ端子を接続するためのものである。
【００１６】
上記バッテリーターミナル１は、図１及び図２に示すように、バッテリーに設けられた第１の外部端子としての図示しない円柱状のバッテリーポストを挿入するためのバッテリーポスト挿入穴（以下、挿入穴と呼ぶ）２１と、上述したケーブル端末に取り付けられた第２の外部端子としての図示しないＬＡ端子が接続される接続部としての端子固定ボルト２９と、を有した本体部２と、本体部２の長手方向の一端部側に位置する外縁２０ｃと挿入穴２１とに亘って本体部２を切り欠いた切り欠き部２２と、切り欠き部２２の幅を縮めることにより挿入穴２１の径を縮径させて挿入穴２１の内面２１ａと前記バッテリーポストとを密着させる縮小手段３と、を備えて構成されている。
【００１７】
上記本体部２は、導電性の板金が折り曲げられるなどして外郭が板状に形成されている。そして、本体部２の中央部に前記板金を打ち抜くなどして形成された略円形の上記挿入穴２１が設けられている。挿入穴２１は、本体部２の図１中上側に位置する上面２０ａから該上面２０ａと相対する下面２０ｂに向かって貫通形成されている。また、前記バッテリーポストは、下面２０ｂ側から上面２０a側に向かって挿入穴２１内に通される。なお、上記端子固定ボルト２９は、本体部２の長手方向の他端部側に設けられかつ上面２０ａから立設している。
【００１８】
さらに、本体部２の切り欠き部２２を挟んだ両側の部分２０ｄ，２０ｅには、これらの部分２０ｄ，２０ｅに跨って形成された第２のボルト挿通穴２３が設けられている。第２のボルト挿通穴２３は、上面２０ａから下面２０ｂに向かって貫通形成されているとともに、切り欠き部２２に向かって開口した半月状の凹部２３ａ，２３ｂにより構成されている。これらの凹部２３ａ，２３ｂの内面は、後述のボルト５の軸部５２の外周面に添う円弧状に形成されている。後述のボルト５の軸部５２は、下面２０ｂ側から上面２０ａ側に向かって第２のボルト挿通穴２３を通される。
【００１９】
上記縮小手段３は、一対のブラケット４ａ,４ｂと、一組のボルト５及びナット６と、により構成されている。
【００２０】
上記一対のブラケット４ａ,４ｂは、重なり部４１ａ，４１ｂと傾斜部４２ａ，４２ｂとをそれぞれ有して構成されている。これら重なり部４１ａ，４１ｂは、本体部２の切り欠き部２２を挟んだ両側の部分２０ｄ，２０ｅの上面２０ａと間隔をあけて相対する位置に配されるとともに互いに重ねられる。また、これら重なり部４１ａ，４１ｂには、該重なり部４１ａ，４１ｂを貫通するとともに互いに重なることが可能なボルト挿通穴４０ａ，４０ｂが設けられている。また、傾斜部４２ａ，４２ｂは、重なり部４１ａ，４１ｂ同士が重ねられた状態で該重なり部４１ａ，４１ｂから離れるにしたがって互いに離れる方向に傾斜している。また、傾斜部４２ａ，４２ｂは、部分２０ｄ，２０ｅの切り欠き部２２から離れた側の他の外縁２４ａ，２４ｂ（図２に示す）の外側に位置付けられるとともに、その内面が他の外縁２４ａ，２４ｂにそれぞれ摺接可能に形成されている。また、この他の外縁２４ａ，２４ｂは、上面２０ａから下面２０ｂに向かうにしたがって本体部２の幅方向外方に向かって傾斜しており、その傾斜角度は傾斜部４２ａ，４２ｂの傾斜角度と等しくされている。
【００２１】
上記ボルト５は、棒状に形成されかつ表面にねじ山が設けられた軸部５２と、軸部５２の一端部に設けられた頭部５１と、により構成されている。このボルト５は、軸部５２の他端部側から上記第２のボルト挿通穴２３を通されるとともに、互いに重ねられたブラケット４ａ，４ｂのボルト挿通穴４０ａ，４０ｂを通されて上面２０ａ側でナット６と螺合する。また、重なり部４１ａ，４１ｂ同士は、ボルト挿通穴４０ａ，４０ｂに軸部５２が通されていることより、図３（ａ），（ｂ）に示すように、軸部５２を中心とした軸部５２周り（図３（ａ）中矢印Ｋで示す）に回動自在に連結される。
【００２２】
このような構成の縮小手段３は、ナット６が締め付けられると、ボルト５及びナット６の螺合状態が進行する。そして、ボルト５及びナット６の羅合にしたがって一対のブラケット４ａ，４ｂの重なり部４１ａ，４１ｂが上面２０ａに近づくことにより、傾斜部４２ａ，４２ｂの内面が他の外縁２４ａ，２４ｂ上を摺接し、これら他の外縁２４ａ，２４ｂを互いに近づく方向に締め付けて切り欠き部２２の幅を縮める。この際、一対のブラケット４ａ，４ｂは、傾斜部４２ａ，４２ｂの内面に押圧された他の外縁２４ａ，２４ｂ即ち本体部２の部分２０ｄ，２０ｅが挿入穴２１の縮径方向に変位するのに追従して軸部５２周りに回動する。このため、傾斜部４２ａ，４２ｂの内面が外縁他の２４ａ，２４ｂに面接触した状態が常に維持される。
【００２３】
また、縮小手段３は、ナット６が緩められ、ボルト５の頭部５１とナット６とが離れるにしたがって一対のブラケット４ａ，４ｂの重なり部４１ａ，４１ｂが上面２０ａから離れる。このように、ナット６を回転させることにより重なり部４１ａ，４１ｂは上面２０ａに対して接離される。前記接離とは、近づいたり離れたりすることをいう。このようなボルト５及びナット６と、ブラケット４ａ，４ｂのボルト挿通穴４０ａ，４０ｂとは、特許請求の範囲に記載した接離手段及び連結手段をなしている。
【００２４】
上記構成のバッテリーターミナル１に前記バッテリーポストを取り付ける際には、図４に示すようにボルト５を第２のボルト挿通穴２３及びボルト挿通穴４０ａ，４０ｂに通すとともに、ナット６を緩めた状態、即ちナット６が頭部５１から最も離れた状態にセットする。この状態において、傾斜部４２ａ，４２ｂの内面は図５に示すように他の外縁２４ａ，２４ｂに面接触しているとともに、挿入穴２１及び切り欠き部２２は最も拡がった状態にある。そして、挿入穴２１に前記バッテリーポストを挿入した後、ナット６を頭部５１に近づく方向に締め付ける。すると、一対のブラケット４ａ，４ｂの重なり部４１ａ，４１ｂが上面２０ａに近づけられるとともに、傾斜部４２ａ，４２ｂの内面に押圧された他の外縁２４ａ，２４ｂ即ち本体部２の部分２０ｄ，２０ｅが互いに近づく方向に変位して切り欠き部２２の幅が縮められる。そして、切り欠き部２２の幅が縮められるにしたがって挿入穴２１が縮径する方向に縮められ、挿入穴２１の内面２１ａと前記バッテリーポストの外周面とが密着する。この状態において、傾斜部４２ａ，４２ｂの内面は図６ないし図８に示すように他の外縁２４ａ，２４ｂに面接触しており、均一な締め付け力を他の外縁２４ａ，２４ｂに伝える。また、このようなバッテリーターミナル１は、端子固定ボルト２９にヒュージブルリンクやスタータと接続されたケーブル端末に取り付けられたＬＡ端子を取り付けることにより、バッテリーとヒュージブルリンク及びスタータとを接続する。
【００２５】
本実施形態によれば、重なり部４１ａ，４１ｂ同士を回動自在に連結するボルト５及びナット６と、ボルト挿通穴４０ａ，４０ｂにより、重なり部４１ａ，４１ｂが本体部２の上面２０ａに近づくにしたがって傾斜部４２ａ，４２ｂの内面に押圧された本体部２の他の外縁２４ａ，２４ｂが挿入穴２１の縮径方向に変位するのに追従して重なり部４１ａ，４１ｂ及び傾斜部４２ａ，４２ｂが回動するので、傾斜部４２ａ，４２ｂの内面を他の外縁２４ａ，２４ｂに面接触させることができ、ブラケット４ａ，４ｂの締め付け力を本体部２の他の外縁２４ａ，２４ｂに均一に伝えることができる。
【００２６】
さらに、ボルト挿通穴４０ａ，４０ｂがそれぞれの重なり部４１ａ，４１ｂの互いに重なることが可能な位置に設けられているので、一組のボルト５及びナット６により一対のブラケット４ａ，４ｂの重なり部４１ａ，４１ｂ同士を本体部２の上面２０ａに対して接離させることができる。また、このボルト挿通穴４０ａ，４０ｂが重なり部４１ａ，４１ｂ、即ち一対のブラケット４ａ，４ｂの回動中心、に配されることによりボルト５及びナット６により一対のブラケット４ａ，４ｂの重なり部４１ａ，４１ｂ同士をボルト５の軸部５２を中心に回動自在に連結することができる。このように一組のボルト５及びナット６とボルト挿通穴４０ａ，４０ｂにより接離手段と連結手段を兼ねることができるので、ブラケット４ａ，４ｂの締め付け力を本体部２の他の外縁２４ａ，２４ｂに均一に伝えることができるとともに構成が簡素で部品点数を少なくすることができるバッテリーターミナル１を提供できる。
【００２７】
また、上述した実施形態では、接続端子としてバッテリーポストと、ヒュージブルリンクやスタータ等に接続したケーブル端末に取り付けられるＬＡ端子と、を接続するバッテリーターミナル１を例に挙げたが、本発明の接続端子はこれに限らず、例えばインバータと周辺機器とを接続する接続端子に応用しても良い。
【００２８】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００２９】
【図１】本発明の一実施形態に係る接続端子を示す斜視図である。
【図２】図１に示された接続端子の分解図である。
【図３】図２に示された一対のブラケットを示す斜視図であり、（ａ）は、ナットの締め付け前の状態における一対のブラケットの位置関係を示し、（ｂ）は、ナットの締め付け後の状態における一対のブラケットの位置関係を示している。
【図４】図１に示された接続端子のナットの締め付け前の状態を示す斜視図である。
【図５】図４中のＥ−Ｅ線に沿った断面図である。
【図６】図１中のＤ−Ｄ線に沿った断面図である。
【図７】図６中のＦ−Ｆ線に沿った断面図である。
【図８】図６中のＧ−Ｇ線に沿った断面図である。
【図９】従来の接続端子を示す斜視図である。
【図１０】図９に示された接続端子の分解図である。
【図１１】図９中のＡ−Ａ線に沿った断面図である。
【図１２】図１１中のＢ−Ｂ線に沿った断面図である。
【図１３】図１１中のＣ−Ｃ線に沿った断面図である。
【符号の説明】
【００３０】
１  バッテリーターミナル（接続端子）
２  本体部
３  縮小手段
４ａ，４ｂ  ブラケット
５  ボルト（接離手段，連結手段）
６  ナット（接離手段，連結手段）
２０ｃ  外縁
２１  挿入穴
２１ａ  内面
２２  切り欠き部
２４ａ，２４ｂ  他の外縁
２９  端子固定ボルト（接続部）
４０ａ，４０ｂ  ボルト挿通穴（接離手段，連結手段）
４１ａ，４１ｂ  重なり部
４２ａ，４２ｂ  傾斜部
【図１】
2008097903.tif 000003
【図２】
2008097903.tif 000004
【図３】
2008097903.tif 000005
【図４】
2008097903.tif 000006
【図５】
2008097903.tif 000007
【図６】
2008097903.tif 000008
【図７】
2008097903.tif 000009
【図８】
2008097903.tif 000010
【図９】
2008097903.tif 000011
【図１０】
2008097903.tif 000012
【図１１】
2008097903.tif 000013
【図１２】
2008097903.tif 000014
【図１３】
2008097903.tif 000015